(57)【特許請求の範囲】
【請求項１】
操作部のセット操作に連動して移動する吸盤ブロックと、該吸盤ブロックと共動してスイッチ機構を開閉するカードと、該移動した吸盤ブロックを吸着保持する被吸着体と、吸盤ブロックが被吸着体から離れる向きに吸盤ブロックを付勢する復帰ばねと、吸盤ブロックに設けられ吸盤ブロックが被吸着体に吸着した状態において吸盤ブロックと被吸着体との間に形成される空間へ連通する筒状の空気導入部と、空気導入部に圧入される遅れ時間調整用の空気透過部材とを備え、空気透過部材は、円柱状に形成され、吸盤ブロックの空気導入部は、少なくとも外径の異なる２種類の空気透過部材が圧入可能であって内径が大きな第１の圧入部と第１の圧入部よりも内径が小さな第２の圧入部とが圧入方向に沿って形成されてなることを特徴とする遅れスイッチ。
【請求項２】
第１の圧入部および第２の圧入部はそれぞれ圧入可能な空気透過部材の軸方向の長さよりも圧入方向の長さが大きく設定されてなることを特徴とする請求項１記載の遅れスイッチ。
【請求項３】
吸盤ブロックには、カードと空気導入部との間に介在し軸方向が空気導入部に一致する形で空気導入部に接着された筒状のシャフトが一体に設けられ、シャフトには、空気導入部との接着面の要所に微小な凹凸が形成されてなることを特徴とする請求項１または請求項２記載の遅れスイッチ。
【請求項４】
吸盤ブロックにはカードと空気導入部との間に介在し軸方向が空気導入部に一致する形で空気導入部に取り付けられたシャフトが一体に設けられ、シャフトは、該シャフトの内径が空気導入部の内径よりも大きく設定され、かつ、ポリアミド樹脂により形成されてなることを特徴とする請求項１または請求項２記載の遅れスイッチ。
【請求項５】
上記吸盤ブロックが被吸着体に吸着する吸盤を有し、少なくとも吸盤及び被吸着体を収納する素子用ケースと、吸盤ブロックに設けられ吸盤の吸着面と反対側に開口を有し吸盤の吸着面側と素子用ケースの外側との間を仕切るダストカバーとを備え、素子用ケースは、ダストカバーの開口された側の端部が全周にわたって圧入される圧入部が形成され、ダストカバーは、上記端部に端面に近づくほど厚み方向の幅が小さくなるような面取り部が形成されてなることを特徴とする請求項１ないし請求項４のいずれかに記載の遅れスイッチ。
【請求項６】
上記吸盤ブロックが被吸着体に吸着する吸盤を有し、吸盤は、被吸着体への粘着を防止するダボが該吸盤の内周底面に突設されてなることを特徴とする請求項１ないし請求項４のいずれかに記載の遅れスイッチ。
【請求項７】
カードが挿入されカードの移動をガイドするとともに少なくとも復帰ばねを囲む枠体と、上記スイッチ機構である第１のスイッチ機構が接続された一対の端子と、操作部のセット操作及びセット解除操作それぞれにより閉成及び開成される第２のスイッチ機構と、該第２のスイッチ機構が接続された一対の端子とを備え、第１のスイッチ機構に接続された一対の端子の一方と第２のスイッチ機構に接続された一対の端子の一方とを共通化し、第１のスイッチ機構に接続された一対の端子の他方と第２のスイッチ機構に接続された一対の端子の他方とを絶縁する端子間絶縁壁を上記枠体に設けてなることを特徴とする請求項１ないし請求項６のいずれかに記載の遅れスイッチ。
【請求項８】
少なくとも吸盤ブロック及び被吸着体及びカード及び復帰ばねにより構成される遅延素子の要所を囲む枠体と、少なくとも枠体及び遅延素子及び端子を収納するケースとを備え、ケースは、前面が開口した後端側のボディと、前端側のカバーとで構成され、枠体は、ボディとの対向面に圧入リブが突設されてなることを特徴とする請求項１または請求項２記載の遅れスイッチ。
【請求項９】
上記吸盤ブロックが被吸着体に吸着する吸盤を有し、少なくとも吸盤及び被吸着体を収納する素子用ケースと、カードが挿入されカードの移動をガイドするとともに少なくとも復帰ばねを囲み素子用ケースに結合される矩形枠状の枠体とを備え、素子用ケースは、枠体の内周面の各コーナ部に嵌合する４つの嵌合用リブが設けられ、且つ、４つの嵌合用リブのうちの１つを他と異なる形状または大きなサイズに設定し、枠体の内周面の各コーナ部のうち上記１つの嵌合用リブに対応した部位のみ当該嵌合用リブが嵌合可能な形状に形成されてなることを特徴とする請求項１または請求項２記載の遅れスイッチ。
【請求項１０】
上記吸盤ブロックが被吸着体に吸着する吸盤を有し、少なくとも吸盤及び被吸着体を収納する素子用ケースを備え、素子用ケースは、後面が開口した箱状であって、被吸着体が圧入される圧入部が後部に形成され、被吸着体は、正八角形に形成されてなることを特徴とする請求項１または請求項２記載の遅れスイッチ。
【請求項１１】
カードが挿入されカードの移動をガイドするとともに少なくとも復帰ばねを囲む枠体を備え、吸盤ブロックには、カードと空気導入部との間に介在し軸方向が空気導入部に一致する形で空気導入部に取り付けられたシャフトが一体に設けられ、シャフトには、カードの要所に形成された挿通孔に挿通されて先端部がレーザ光によりかしめられたカード保持用ピンが設けられ、カードおよび枠体それぞれの色は、シャフトの色に比べて上記レーザ光を吸収しにくい色としてあること特徴とする請求項１または請求項２記載の遅れスイッチ。
【請求項１２】
スイッチ機構が電気的に接続される一対の端子と、少なくとも吸盤ブロック及びカード及び被吸着体及び復帰ばね及び一対の端子を収納するケースとを備え、各端子はそれぞれ、ケースに設けられた電線挿入口から挿入される電線が接続される端子板と、端子板に電線をばね力によって接続保持する鎖錠ばねとを有し、一方の端子板には、固定接点が設けられ、他方の端子板には、一端部に可動接点を有する短冊状の接点ばねの他端部が電線挿入口からずれた位置で取り付けられ、接点ばねの他端部は、ケースの電線挿入口が設けられた面に近づく向きに膨らむコ字状に形成されてなることを特徴とする請求項１または請求項２記載の遅れスイッチ。
【請求項１３】
スイッチ機構が電気的に接続される一対の端子板を備え、一対の端子板は、固定接点が設けられる固定接点用端子板と、一端部に可動接点を有する短冊状の接点ばねの他端部が取り付けられる可動接点用端子板とからなり、上記固定接点は、該固定接点に可動接点が接触した状態で両接点の接触面と接点ばねとが略平行になるように設けられてなることを特徴とする請求項１または請求項２記載の遅れスイッチ。
【請求項１４】
少なくとも吸盤ブロック及び被吸着体及びカード及び復帰ばねが収納され、操作部の一部が前面から突出するケースを備え、ケースは、前面が開口されたボディと、操作部の一部が前面から突出するような形で操作部を収納する開口部が形成されボディに結合されたカバーとで構成され、操作部は、後面側の要所に該操作部とカバーとの間に形成される隙間を隠すオーバーラップ部が延設されてなることを特徴とする請求項１または請求項２記載の遅れスイッチ。
【請求項１５】
上記スイッチ機構が接続された一対の端子と、操作部の後面側に結合され操作部のセット解除操作時に上記一対の端子間に接続される表示用発光素子が回路基板に実装された表示素子ブロックとを備え、上記操作部のセット操作時に上記一対の端子間が電気的に接続されるように傾き且つ上記操作部のセット解除操作時に上記一対の端子間が電気的に非接続となるように傾くコイルスプリングが上記一対の端子の一方に電気的に接続され、表示素子ブロックは、上記コイルスプリングに電気的に接続される板ばねよりなる接触子が設けられてなることを特徴とする請求項１または請求項２記載の遅れスイッチ。
【請求項１６】
上記スイッチ機構が接続された一対の端子板と、操作部のセット解除操作時に上記一対の端子板間に通電手段を介して接続される表示用発光素子が回路基板に実装された表示素子ブロックとを備え、上記通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなることを特徴とする請求項１または請求項２記載の遅れスイッチ。
【請求項１７】
上記スイッチ機構が接続された一対の端子板と、操作部のセット解除操作時に上記一対の端子板間に通電手段を介して接続される表示用発光素子が回路基板に実装された表示素子ブロックと、少なくとも吸盤ブロック及び被吸着体及びカード及び復帰ばね及び一対の端子板及び表示素子ブロック及び通電手段が収納され操作部の一部が前面から突出するケースとを備え、ケースは、前面が開口されたボディと、操作部の一部が前面から突出するような形で操作部を収納する開口部が形成されボディに結合されたカバーとで構成され、上記通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなり、第１の接触子は、カバーの後面と上記一方の端子板のカバーへの対向面との間に挟持される足部が設けられてなることを特徴とする請求項１または請求項２記載の遅れスイッチ。
【請求項１８】
上記スイッチ機構が接続された一対の端子板と、操作部のセット解除操作時に上記一対の端子板間に通電手段を介して接続される表示用発光素子が回路基板に実装された表示素子ブロックと、少なくとも吸盤ブロック及び被吸着体及びカード及び復帰ばね及び一対の端子板及び表示素子ブロック及び通電手段が収納され操作部の一部が前面から突出するケースとを備え、ケースは、前面が開口されたボディと、操作部の一部が前面から突出するような形で操作部を収納する開口部が形成されボディに結合されたカバーとで構成され、上記通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなり、第１の接触子は、上記一方の端子板に仮り止めするための足部が設けられてなることを特徴とする請求項１または請求項２記載の遅れスイッチ。
【発明の詳細な説明】
【０００１】
【発明の属する技術分野】
本発明は、負荷を遅延動作させる遅れスイッチに関するものである。
【０００２】
【従来の技術】
この種の遅れスイッチは、例えばトイレの換気扇及び照明負荷の操作に用いるものが知られている（特開昭６１−５５８２５号公報参照）。この従来の遅れスイッチは、操作部たるハンドルのセット操作で換気扇と照明負荷とをそれぞれオンし、ハンドルのセット解除操作で照明負荷をオフし、換気扇を一定時間（遅れ時間）後にオフする制御機能を持つものである。ところで、この従来の遅れスイッチは、上記遅れ時間を決める遅延ユニットがギアを備えたものであり、ハンドルの操作に遅延ユニットのギアが連動するようになっている。
【０００３】
【発明が解決しようとする課題】
上記従来構成のものでは、上記遅れ時間を決める遅延ユニットの構造が複雑で製造コストが高い、ハンドルの操作に遅延ユニットのギアが連動するので操作感触が悪い、遅延ユニットの遅延機能による各種騒音が生じる、等の問題があった。
【０００４】
本発明は上記事由に鑑みて為されたものであり、その目的は、低コストで遅延動作の信頼性が高く、組立が容易で且つ騒音が小さな遅れスイッチを提供することにある。
【０００５】
【課題を解決するための手段】
請求項１の発明は、上記目的を達成するために、操作部のセット操作に連動して移動する吸盤ブロックと、該吸盤ブロックと共動してスイッチ機構を開閉するカードと、該移動した吸盤ブロックを吸着保持する被吸着体と、吸盤ブロックが被吸着体から離れる向きに吸盤ブロックを付勢する復帰ばねと、吸盤ブロックに設けられ吸盤ブロックが被吸着体に吸着した状態において吸盤ブロックと被吸着体との間に形成される空間へ連通する筒状の空気導入部と、空気導入部に圧入される遅れ時間調整用の空気透過部材とを備え、空気透過部材は、円柱状に形成され、吸盤ブロックの空気導入部は、少なくとも外径の異なる２種類の空気透過部材が圧入可能であって内径が大きな第１の圧入部と第１の圧入部よりも内径が小さな第２の圧入部とが圧入方向に沿って形成されてなることを特徴とするものであり、操作部のセット解除操作時には、吸盤ブロックの被吸着体への吸着力と復帰ばねのばね力とのバランスにより吸盤ブロックが被吸着体から離れるまでに遅れ時間が生じるから、従来のようなギアが不要となり、従来の遅延ユニットを有する遅れスイッチに比べて構成が簡単で信頼性が高く、低コスト化が図れるとともに、騒音が小さくなる。また、従来のようなギアが必要ないので、操作部の操作がスムーズになる。また、吸盤ブロックが被吸着体に吸着した状態において吸盤ブロックと被吸着体との間に形成される内部空間へ連通する空気導入部に圧入される空気透過部材を有し、空気導入部は、少なくとも外径の異なる２種類の空気透過部材が圧入可能であって内径が大きな第１の圧入部と第１の圧入部よりも内径が小さな第２の圧入部とが圧入方向に沿って形成されているので、外径の異なる空気透過部材を圧入することができ、空気透過部材の材料やサイズを変えることにより遅れ時間を調整することができ、しかも空気透過部材の位置決めが容易である。
【０００６】
請求項２の発明は、請求項１の発明において、第１の圧入部および第２の圧入部はそれぞれ圧入可能な空気透過部材の軸方向の長さよりも圧入方向の長さが大きく設定されてなることを特徴とするものであり、空気透過部材を圧入する際に空気透過部材の押し込み過ぎや押し込み不足を防止することができ、遅れ時間のばらつきを低減することができる。
【０００７】
請求項３の発明は、請求項１または請求項２の発明において、吸盤ブロックには、カードと空気導入部との間に介在し軸方向が空気導入部に一致する形で空気導入部に接着された筒状のシャフトが一体に設けられ、シャフトには、空気導入部との接着面の要所に微小な凹凸が形成されてなることを特徴とするものであり、シャフトと空気導入部との接着強度が増し、耐久信頼性が向上する。
【０００８】
請求項４の発明は、請求項１または請求項２の発明において、吸盤ブロックにはカードと空気導入部との間に介在し軸方向が空気導入部に一致する形で空気導入部に取り付けられたシャフトが一体に設けられ、シャフトは、該シャフトの内径が空気導入部の内径よりも大きく設定され、かつ、ポリアミド樹脂により形成されてなることを特徴とするものであり、シャフトは、該シャフトの内径が空気導入部の内径よりも大きく設定されているので、シャフト内に空気透過部材を仮保持することができ、また、シャフトはポリイミド樹脂により形成されているので、自己潤滑性に優れ、空気透過部材を空気導入部へ圧入する際にシャフト内から空気導入部への空気透過部材の挿入性を向上させることができる。
【０００９】
請求項５の発明は、請求項１ないし請求項４の発明において、上記吸盤ブロックが被吸着体に吸着する吸盤を有し、少なくとも吸盤及び被吸着体を収納する素子用ケースと、吸盤ブロックに設けられ吸盤の吸着面と反対側に開口を有し吸盤の吸着面側と素子用ケースの外側との間を仕切るダストカバーとを備え、素子用ケースは、ダストカバーの開口された側の端部が全周にわたって圧入される圧入部が形成され、ダストカバーは、上記端部に端面に近づくほど厚み方向の幅が小さくなるような面取り部が形成されてなることを特徴とするものであり、少なくとも吸盤及び被吸着体を収納する素子用ケースを備えているので、素子用ケースにより吸盤と被吸着体との間に塵や埃等の異物が侵入するのを抑制でき、吸盤と被吸着体との吸着状態が安定し、遅れ時間を略一定とすることができる。さらに、吸盤ブロックに設けられ吸盤の吸着面と反対側に開口を有し吸盤の吸着面側と素子用ケースの外側との間を仕切るダストカバーを備えているので、簡単な構造で吸盤の動きを妨げることなく吸盤と被吸着体との間に塵や埃等が侵入するのを確実に防止することができる。しかも、素子用ケースは、ダストカバーの開口された側の端部が全周にわたって圧入される圧入部が形成され、ダストカバーは、上記端部に面取り部が形成されているので、ダストカバーの端部を素子用ケースの圧入部に圧入する際の挿入性が向上し、ダストカバーの端部の全周を簡単に圧入することができる。
【００１０】
請求項６の発明は、請求項１ないし請求項４の発明において、上記吸盤ブロックが被吸着体に吸着する吸盤を有し、吸盤は、被吸着体への粘着を防止するダボが該吸盤の内周底面に突設されてなることを特徴とするものであり、被吸着体へ吸盤が粘着するのを防止することができる。
【００１１】
請求項７の発明は、請求項１ないし請求項６の発明において、カードが挿入されカードの移動をガイドするとともに少なくとも復帰ばねを囲む枠体と、上記スイッチ機構である第１のスイッチ機構が接続された一対の端子と、操作部のセット操作及びセット解除操作それぞれにより閉成及び開成される第２のスイッチ機構と、該第２のスイッチ機構が接続された一対の端子とを備え、第１のスイッチ機構に接続された一対の端子の一方と第２のスイッチ機構に接続された一対の端子の一方とを共通化し、第１のスイッチ機構に接続された一対の端子の他方と第２のスイッチ機構に接続された一対の端子の他方とを絶縁する端子間絶縁壁を上記枠体に設けてなることを特徴とするものであり、枠体に端子間絶縁壁を設けたことにより、第１のスイッチ機構と第２のスイッチ機構との絶縁性能を向上させることができる。
【００１２】
請求項８の発明は、請求項１または請求項２の発明において、少なくとも吸盤ブロック及び被吸着体及びカード及び復帰ばねにより構成される遅延素子の要所を囲む枠体と、少なくとも枠体及び遅延素子及び端子を収納するケースとを備え、ケースは、前面が開口した後端側のボディと、前端側のカバーとで構成され、枠体は、ボディとの対向面に圧入リブが突設されてなることを特徴とするものであり、枠体を備えていることにより、外部から遅延素子の要部に外力が働くのを防止することができ、また、枠体は、ボディとの対向面に圧入リブが突設されているので、組立時に枠体が浮き上がるのを防止することができ、組立性が向上する。
【００１３】
請求項９の発明は、請求項１または請求項２の発明において、上記吸盤ブロックが被吸着体に吸着する吸盤を有し、少なくとも吸盤及び被吸着体を収納する素子用ケースと、カードが挿入されカードの移動をガイドするとともに少なくとも復帰ばねを囲み素子用ケースに結合される矩形枠状の枠体とを備え、素子用ケースは、枠体の内周面の各コーナ部に嵌合する４つの嵌合用リブが設けられ、且つ、４つの嵌合用リブのうちの１つを他と異なる形状または大きなサイズに設定し、枠体の内周面の各コーナ部のうち上記１つの嵌合用リブに対応した部位のみ当該嵌合用リブが嵌合可能な形状に形成されてなるこことを特徴とするものであり、少なくとも吸盤及び被吸着体を収納する素子用ケースを備えていることにより、吸盤と被吸着体との間に塵や埃等の異物が侵入するのを抑制でき、吸盤と被吸着体との吸着状態が安定し、遅れ時間を略一定とすることができる。また、カードが挿入されカードの移動をガイドするとともに少なくとも復帰ばねを囲み素子用ケースに結合される矩形枠状の枠体を備えているので、外部からカードや復帰ばねに外力が働くのを防止することができ、動作が安定する。しかも、素子用ケースは４つの嵌合用リブのうちの１つを他と異なる形状または大きなサイズに設定し、枠体の内周面の各コーナ部のうち上記１つの嵌合用リブに対応した部位のみ当該嵌合用リブが嵌合可能な形状に形成されているので、素子用ケースと枠体との逆組みを防止することができる。
【００１４】
請求項１０の発明は、請求項１または請求項２の発明において、上記吸盤ブロックが被吸着体に吸着する吸盤を有し、少なくとも吸盤及び被吸着体を収納する素子用ケースとを備え、素子用ケースは、後面が開口した箱状であって、被吸着体が圧入される圧入部が後部に形成され、被吸着体は、正八角形に形成されてなることを特徴とするものであり、少なくとも吸盤及び被吸着体を収納する素子用ケースを備えているので、吸盤と被吸着体との間に塵や埃等の異物が侵入するのを抑制でき、吸盤と被吸着体との吸着状態が安定し、遅れ時間を略一定とすることができる。しかも、素子用ケースは、後面が開口した箱状であって、被吸着体が圧入される圧入部が後部に形成され、被吸着体は、正八角形に形成されているので、素子用ケースの圧入部へ被吸着体を圧入する際に、被吸着体の面内における方向の制限が少なくなり、組立性が向上する。
【００１５】
請求項１１の発明は、請求項１または請求項２の発明において、カードが挿入されカードの移動をガイドするとともに少なくとも復帰ばねを囲む枠体を備え、吸盤ブロックには、カードと空気導入部との間に介在し軸方向が空気導入部に一致する形で空気導入部に取り付けられたシャフトが一体に設けられ、シャフトには、カードの要所に形成された挿通孔に挿通されて先端部がレーザ光によりかしめられたカード保持用ピンが設けられ、カードおよび枠体それぞれの色は、シャフトの色に比べて上記レーザ光を吸収しにくい色としてあること特徴とするものであり、カードが挿入されカードの移動をガイドするとともに少なくとも復帰ばねを囲む枠体を備えているので、外部からカードや復帰ばねに外力が働くのを防止することができる。さらに、カードおよび枠体それぞれの色は、シャフトの色に比べて上記レーザ光を吸収しにくい色としてあるので、シャフトとカードとを結合する際にレーザ光によりカード及び枠体が溶けるのを防止することができる。
【００１６】
請求項１２の発明は、請求項１または請求項２の発明において、スイッチ機構が電気的に接続される一対の端子と、少なくとも吸盤ブロック及びカード及び被吸着体及び復帰ばね及び一対の端子を収納するケースとを備え、各端子はそれぞれ、ケースに設けられた電線挿入口から挿入される電線が接続される端子板と、端子板に電線をばね力によって接続保持する鎖錠ばねとを有し、一方の端子板には、固定接点が設けられ、他方の端子板には、一端部に可動接点を有する短冊状の接点ばねの他端部が電線挿入口からずれた位置で取り付けられ、接点ばねの他端部は、ケースの電線挿入口が設けられた面に近づく向きに膨らむコ字状に形成されてなることを特徴とするものであり、各端子はそれぞれ、ケースに設けられた電線挿入口から挿入される電線が接続される端子板と、端子板に電線をばね力によって接続保持する鎖錠ばねとを有するので、電線を容易に接続することができる。また、接点ばねの他端部が、ケースの電線挿入口が設けられた面に近づく向きに膨らむコ字状に形成されているので、電線挿入口から挿入された電線の先端部が曲がったような異常挿入時に電線の先端部が接点ばねに触れるのを防止することができ、接点ばねが動かなくなるのを防止することができ、また、接点ばねの他端部がコ字状に形成されていることにより、接点ばねの他端部がＬ字状に形成されている場合に比べて接点ばねの動作時に折れ曲がった部位にかかる応力を分散でき、接点ばねの寿命を向上させることができる。
【００１７】
請求項１３の発明は、請求項１または請求項２の発明において、スイッチ機構が電気的に接続される一対の端子板を備え、一対の端子板は、固定接点が設けられる固定接点用端子板と、一端部に可動接点を有する短冊状の接点ばねの他端部が取り付けられる可動接点用端子板とからなり、上記固定接点は、該固定接点に可動接点が接触した状態で両接点の接触面と接点ばねとが略平行になるように設けられてなることを特徴とするものであり、固定接点が、該固定接点に可動接点が接触した状態で両接点の接触面と接点ばねとが略平行になるように設けられているので、両接点が消耗しても両接点の中心同士を接触させることができ、開閉性能の劣化を防止することができる。
【００１８】
請求項１４の発明は、請求項１または請求項２の発明において、少なくとも吸盤ブロック及び被吸着体及びカード及び復帰ばねが収納され、操作部の一部が前面から突出するケースを備え、ケースは、前面が開口されたボディと、操作部の一部が前面から突出するような形で操作部を収納する開口部が形成されボディに結合されたカバーとで構成され、操作部は、後面側の要所に該操作部とカバーとの間に形成される隙間を隠すオーバーラップ部が延設されてなることを特徴とするものであり、操作部には、後面側の要所に該操作部とカバーとの間に形成される隙間を隠すオーバーラップ部が延設されているので、スイッチ機構の開閉に伴うケース外部へのアークの透過を防止することが可能となる。
【００１９】
請求項１５の発明は、請求項１または請求項２の発明において、上記スイッチ機構が接続された一対の端子と、操作部の後面側に結合され操作部のセット解除操作時に上記一対の端子間に接続される表示用発光素子が回路基板に実装された表示素子ブロックとを備え、上記操作部のセット操作時に上記一対の端子間が電気的に接続されるように傾き且つ上記操作部のセット解除操作時に上記一対の端子間が電気的に非接続となるように傾くコイルスプリングが上記一対の端子の一方に電気的に接続され、表示素子ブロックは、上記コイルスプリングに電気的に接続される板ばねよりなる接触子が設けられてなることを特徴とするものであり、操作部の後面側に結合され操作部のセット解除操作時に上記一対の端子間に接続される表示用発光素子が回路基板に実装された表示素子ブロックを備えているので、操作部がセット解除操作された状態では表示用発光素子が点灯し夜間等の周囲が暗い場合でも操作部の位置を確認することが可能となる。また、上記操作部のセット操作時に上記一対の端子間が電気的に接続されるように傾き且つ上記操作部のセット解除操作時に上記一対の端子間が電気的に非接続となるように傾くコイルスプリングが上記一対の端子の一方に電気的に接続され、表示素子ブロックには上記コイルスプリングに電気的に接続される板ばねよりなる接触子が設けられているので、上記コイルスプリングを介して表示素子ブロックへの電源をとることが可能となる。
【００２０】
請求項１６の発明は、請求項１または請求項２の発明において、上記スイッチ機構が接続された一対の端子板と、操作部のセット解除操作時に上記一対の端子板間に通電手段を介して接続される表示用発光素子が回路基板に実装された表示素子ブロックとを備え、上記通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなることを特徴とするものであり、操作部のセット解除操作時に上記一対の端子板間に通電手段を介して接続される表示用発光素子が回路基板に実装された表示素子ブロックを備えているので、操作部がセット解除操作された状態では表示用発光素子が点灯し夜間等の周囲が暗い場合でも操作部の位置を確認することが可能となる。さらに、通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなるので、回路基板から突設させる接触子を直接上記一方の端子板に直接接触させる場合に比べて接触子の長さを短くすることができ、表示素子ブロックの組立が容易になるとともに、表示素子ブロックの取り扱いが容易になる。
【００２１】
請求項１７の発明は、請求項１または請求項２の発明において、上記スイッチ機構が接続された一対の端子板と、操作部のセット解除操作時に上記一対の端子板間に通電手段を介して接続される表示用発光素子が回路基板に実装された表示素子ブロックと、少なくとも吸盤ブロック及び被吸着体及びカード及び復帰ばね及び一対の端子板及び表示素子ブロック及び通電手段が収納され操作部の一部が前面から突出するケースとを備え、ケースは、前面が開口されたボディと、操作部の一部が前面から突出するような形で操作部を収納する開口部が形成されボディに結合されたカバーとで構成され、上記通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなり、第１の接触子は、カバーの後面と上記一方の端子板のカバーへの対向面との間に挟持される足部が設けられてなることを特徴とするものであり、操作部のセット解除操作時に上記一対の端子板間に通電手段を介して接続される表示用発光素子が回路基板に実装された表示素子ブロックを備えているので、操作部がセット解除操作された状態では表示用発光素子が点灯し夜間等の周囲が暗い場合でも操作部の位置を確認することが可能となる。さらに、通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなるので、回路基板から突設させる接触子を直接上記一方の端子板に直接接触させる場合に比べて接触子の長さを短くすることができ、表示素子ブロックの組立が容易になるとともに、表示素子ブロックの取り扱いが容易になる。しかも、第１の接触子に、カバーの後面と上記一方の端子板のカバーへの対向面との間に挟持される足部が設けられているので、組立後に第１の接触子が倒れるのを防止することができる。
【００２２】
請求項１８の発明は、請求項１または請求項２の発明において、上記スイッチ機構が接続された一対の端子板と、操作部のセット解除操作時に上記一対の端子板間に通電手段を介して接続される表示用発光素子が回路基板に実装された表示素子ブロックと、少なくとも吸盤ブロック及び被吸着体及びカード及び復帰ばね及び一対の端子板及び表示素子ブロック及び通電手段が収納され操作部の一部が前面から突出するケースとを備え、ケースは、前面が開口されたボディと、操作部の一部が前面から突出するような形で操作部を収納する開口部が形成されボディに結合されたカバーとで構成され、上記通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなり、第１の接触子は、上記一方の端子板に仮り止めするための足部が設けられてなることを特徴とするものであり、操作部のセット解除操作時に上記一対の端子板間に通電手段を介して接続される表示用発光素子が回路基板に実装された表示素子ブロックを備えているので、操作部がセット解除操作された状態では表示用発光素子が点灯し夜間等の周囲が暗い場合でも操作部の位置を確認することが可能となる。さらに、通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなるので、回路基板から突設させる接触子を直接上記一方の端子板に直接接触させる場合に比べて接触子の長さを短くすることができ、表示素子ブロックの組立が容易になるとともに、表示素子ブロックの取り扱いが容易になる。しかも、第１の接触子に、上記一方の端子板に仮り止めするための足部が設けられているので、組立中に第１の接触子が倒れるのを防止することができる。
【００２３】
【発明の実施の形態】
（実施形態１）
まず、本実施形態の遅れスイッチの動作を簡単に説明し、その後で各構成要素について詳述する。
【００２４】
図３は本実施形態の遅れスイッチのオフ状態を示し、この状態で操作部たるハンドル９０をオン操作（セット操作）すると、ハンドル９０のアーム押圧片９０ｂが回動し、アーム押圧片９０ｂの先端部がアーム５０の湾曲部５０ａに沿って移動する。しかして、ハンドル９０をオン操作すると、コイルスプリング９６が図１に示すように傾くことによって揺動体７３に設けられた可動接点７４が端子板６３ｂの固定接点６４ｂと接触してこの電路がオン状態になるとともに、アーム押圧片９０ｂが回動することによってアーム５０が回動してアーム５０の先端のカード押圧部５２がカード２６の被押圧部２６ａを押し、コイルスプリングよりなる復帰ばね２７の付勢力に抗してカード２６が移動し（図３における下方へ押し下げられ）、接点ばね７０の可動接点７２が端子板６３ａの固定接点６４ａに接触してこの電路がオン状態になるのである。また、カード２６が移動することにより、吸盤ブロック２３の吸盤２３ｂが被吸着体２４に接する位置まで押し下げられて吸盤２３ｂが被吸着体２４に吸着し、カード２６が押し下げられている状態では、吸盤２３ｂが被吸着体２４に吸着保持される。
【００２５】
一方、図１は本実施形態の遅れスイッチのオン状態を示し、この状態でハンドル９０をオフ操作（セット解除操作）すると、アーム押圧片９０ｂの先端部がアーム５０の湾曲部５０ａに沿って湾曲部５０ａから脱するように移動することによりアーム５０が回動し、アーム５０のカード押圧部５２がカード２６の被押圧部２６ａから離れるように移動する。しかして、ハンドル９０をオフ操作すると、コイルスプリング９６が図１とは逆方向に傾くことによって図３に示すように揺動体７３に設けられた可動接点７４が端子板６３ｂの固定接点６４ｂから開離して、後述の遅れ時間が経過すると、復帰ばね２７の復元力によってカード２６が前方へ移動しカード２６に設けられた接点ばね押圧部２６ｃが接点ばね７０を前方（図３における上方）へ押すので、可動接点７２が固定接点６４ａから開離されこの電路（スイッチ機構）もオフ状態になる。
【００２６】
しかして、本実施形態の遅れスイッチでは、ハンドル９０によるセット解除操作時には、吸盤２３ｂの被吸着体２４への吸着力と復帰ばね２７のばね力とのバランスにより吸盤２３ｂが被吸着体２４から離れるまでに遅れ時間があるので、従来のようなギアが不要となり、従来の遅延ユニットを有する遅れスイッチに比べて構成が簡単で信頼性が高く、低コスト化が図れるとともに、騒音が小さくなる。
【００２７】
以下、本実施形態の遅れスイッチの各構成要素について詳述する。
【００２８】
遅れスイッチのケース１は、図１乃至図４に示すように、合成樹脂製のボディ１０と、合成樹脂製のカバー８０とを一対の略コ字形の組立枠４０にて結合して形成される。
【００２９】
図４に示すように、カバー８０の両端部にはそれぞれ肩部８０ｂが突設され、各肩部８０ｂそれぞれの側面には組立枠４０の脚片４０ｄが嵌め込まれる凹部８０ｃが形成されている。一方、ボディ１０の前端側には、上記凹部８０ｃに対応する部位に、組立枠４０の脚片４０ｄが嵌め込まれる凹部１８が形成されている。したがって、ボディ１０にカバー８０を結合するときには、カバー８０の各肩部８０ｂの前面側からそれぞれ組立枠４０を嵌合し（組立枠４０の脚片４０ｄをカバー８０の凹部８０ｃとボディ１０の凹部１８とに嵌め込み）、この組立枠４０の両脚片４０ｄの先端部に形成された略Ｖ字形の引掛爪４０ａをそれぞれボディ１０の側面に形成された段部１５に係合させることによって、カバー８０とボディ１０とが組立枠４０により固定される。
【００３０】
ここで、ケース１は、埋込型の配線器具用の取付枠に該取付枠の開口窓からケース１の前面が露出する形で最大３個まで連設して取り付けることができるように寸法設定された単位寸法の埋込型の配線器具の１個分に相当する寸法に形成されている。すなわち、ケース１は、例えばＪＩＳ規格で規格化されている大角形連用配線器具の１連用の取付枠に最大３個まで取り付けることができる配線器具の１個分の寸法に形成されており、上記取付枠に設けられた取付孔に係合可能な一対の係合爪４０ｂが組立枠４０の両端部から突設されている。言い換えれば、３個の器具取付手段である３対の取付孔を備えた細長の器具取付用の開口窓を有する取付枠に対して、ケース１は短手方向の外形寸法が上記開口窓の長手方向の略１／３に形成されている。また、各組立枠４０には、金属製の取付枠に取り付ける際に取付枠の係止爪が係止される係止孔４０ｃが設けてある。
【００３１】
カバー８０は操作用のハンドル９０の一部がケース１の前面から突出するような形でハンドル９０を収納する開口部８１（図４参照）が形成されており、カバー８０の内側面には、図４及び図５に示すようにハンドル９０の両側面に突設された凸部９５が係合される凹部８２が形成されている。したがって、ハンドル９０を開口部８１に収納する時にハンドル９０の両側面の凸部９５をカバー８０の凹部８２にそれぞれ挿入係合することによって、カバー８０の凹部８２がハンドル９０の揺動支点となる。
【００３２】
一方、ハンドル９０の後面の側端部からは、図４及び図６に示すように三角形状の一対のガイド片９０ａ及び半円状の一対のアーム押圧片９０ｂが突設されている。ここに、一対のアーム押圧片９０ｂそれぞれの先端部は略コ字形のアーム５０の基端部５０ｂの前面側に形成された湾曲部５０ａに係脱するようになっている。また、ハンドル９０の前部には、透明なネームカバー９３が嵌着される。ネームカバー９３とハンドル９０との間にはネームシート９４（図４参照）が挟持される。
【００３３】
ハンドル９０は、図３に示す状態でケース１の前面から突出する部分の所定部位に透光窓９１が形成され、ネームシート９４には、ハンドル９０の透光窓９１に対向する部位に孔９４ａ（図４参照）を設けてある。ここにおいて、透光窓９１は、図６に示す回路基板７６に実装されたネオンランプ７７に対応する部位に形成されており、ネオンランプ７７を保護する薄肉のランプカバー部９１ａがハンドル９０から連続一体に形成されている。なお、ランプカバー部９１ａは、ネオンランプ７７の光が外部へ透光できるような厚さに設定されている。したがって、透光窓９１に透光性材料よりなるランプカバー用の別部材を取着する場合に比べて部品点数を削減することができ、低コスト化を図ることができる。
【００３４】
ところで、ハンドル９０とカバー８０との間には隙間が形成されるが、本実施形態では、ハンドル９０は、図４及び図５に示すように、ハンドル９０とカバー８０との間に形成される隙間を隠すオーバーラップ部（鍔部）９０ｃが延設されているので、接点の開閉に伴うアークが外部へ透過するのを防止することができる。
【００３５】
また、ハンドル９０の後面側にはコイルスプリング９６の一端側が嵌め込まれる凹部９７（図１及び図６参照）が形成されており、コイルスプリング９６の他端側は揺動体７３のばね支持部７５ａ，７５ｂ間で受けられている。揺動体７３はコイルスプリング９６の働きでハンドル９０の傾斜方向と逆方向に傾くようになっていて（図１参照）、ハンドル９０の揺動終点でコイルスプリング９６が、く字形または逆く字形に屈曲させられ、コイルスプリング９６が真っ直ぐな状態に戻ろうとする復元力によってハンドル９０がその位置で確実に固定されるようになっている。
【００３６】
ボディ１０は、図４に示すように、略中央にタイマブロック収納部１２が形成され、タイマブロック収納部１２の両側に端子収納部１３，１４が形成されている。タイマブロック収納部１２には後述のタイマブロック２０が収納され、端子収納部１４には後述の端子６０1，６０2が収納され、端子収納部１３には後述の端子６０3，６０4が収納される。また、ボディ１０の前端部には、上述のアーム５０の基端部５０ｂから突設された回転軸５１1，５１2が軸着される凹状の軸受部５５1，５５2が形成されており、アーム５０を回動自在としている。
【００３７】
以下、タイマブロック２０について説明する。
【００３８】
タイマブロック２０は、図７及び図８に示すように、略コ字形のカード２６と、カード２６の移動時にカード２６の両脚片をガイドするガイド溝２１ｂ（図７（ａ）参照）が形成された矩形枠状の枠体（中枠）２１と、カード２６を前方（図７（ｂ）の上方へ）付勢するコイルスプリングよりなる復帰ばね２７と、シリコンゴムなどのゴムにより形成され弾性的に撓むことができるようになっている吸盤２３ｂを有する吸盤ブロック２３と、吸盤２３ｂが吸着される正八角形の被吸着体２４と、後述の空気透過部材３２ａと、後面開口した箱状であって吸盤２３ｂ及び被吸着体２４が収納される素子用ケース２２と、素子用ケース２２の後面に取り付けられる矩形板状の防塵用のフィルタ２５とを備えている。
【００３９】
吸盤ブロック２３は、図９ないし図１３に示すようにシリコンゴムなどのゴムにより形成された吸盤２３ｂと、ポリアミド樹脂（例えば、６６ナイロン）により形成された円筒状のシャフト４２（図１４参照）とが一体成形されている。
【００４０】
吸盤２３ｂは、円柱状の空気透過部材３２ａ（図７及び図８参照）が内部空間２３ｆに圧入される円筒状の空気透過部材圧入部２３ｄが連続一体に形成されており、空気透過部材圧入部２３ｄの先端側に上述のシャフト４２が設けられている。
【００４１】
ここで、吸盤２３ｂの空気透過部材圧入部２３ｄとシャフト４２とはその材料の相違に原因して接着強度が弱いが、本実施形態では、シャフト４２の後面（図１４（ｂ）のハッチングを施した部位に成形時にシボ加工を施して微小の凹凸が形成されているので、接着剤などによる吸盤２３ｂの空気透過部材圧入部２３ｄとシャフト４２との接着強度を向上させることができ、吸盤２３ｂとシャフト４２とを強固に且つ確実に結合することができる。したがって、吸盤ブロック２３の耐久信頼性が向上する。
【００４２】
なお、シャフト４２の後面にはＲを設けてあるので、接着剤に亀裂が入りにくくなっており、接着強度が向上している。
【００４３】
また、吸盤２３ｂは、吸着面側に鍔部２３ｍが形成されており、吸着面以外の部位に図１０及び図１３に一点鎖線で示すパーティングラインＰＬが設けられている。したがって、吸盤ブロック２３の成型にともなうバリが吸着面に発生するのを防止することができ、また、バリを除去する際に吸着面に傷がつくのを防止することができるから、被吸着体２４への吸盤２３ｂの吸着状態を安定させることができ、遅れ時間の精度を高めることができる。また、本実施形態では、吸盤２３ｂの内周底面に図９（ｃ）及び図１０及び図１１に示すように微小なダボ２３ｐが連続一体に突設されているので、被吸着体２４へ吸盤２３ｂが粘着するのを防止することができる。
【００４４】
本実施形態では、空気透過部材３２ａを多孔質セラミックにより構成してあり、空気の透過係数の温度依存や湿度依存が小さいので、使用環境の温度変化や湿度変化による遅れ時間の変動を小さくでき、遅れ時間を高精度にすることができる。
【００４５】
ところで、遅れ時間の異なる２種類の遅れスイッチを作るために、空気透過部材３２ａとして外径の異なる２種類のもの（以下、外径の小さなものを空気透過部材３２ａ、外径の大きなものを空気透過部材３２ｂと称す）を遅れ時間に応じて使い分ける場合、吸盤ブロック２３を共通化するには、空気透過部材圧入部２３ｄの内径を外径の大きな空気透過部材３２ｂの外径に応じて設定することが考えられる。このような場合には、外径の小さな空気透過部材３２ａを圧入するには、空気透過部材３２ａの外周をゴムチューブなどによりシールするしたものを空気透過部材圧入部２３ｄの上記内部空間２３ｆに圧入することが考えられる。しかしながら、このような場合には、吸盤ブロック２３を共通化してもゴムチューブのような別部材が必要になる。
【００４６】
これに対し、本実施形態では、吸盤ブロック２３の空気透過部材圧入部２３ｄは、図１５に示す外径の異なる２種類の空気透過部材３２ａ，３２ｂが圧入可能であって、外径が２ｍｍの空気透過部材３２ｂを圧入可能な第１の圧入部２３ｆ１と、第１の圧入部２３ｆ１よりも内径が小さく外径が１ｍｍの空気透過部材３２ａを圧入可能な第２の圧入部２３ｆ２と、第２の圧入部２３ｆ２よりも内径が小さな上記通気孔２３ｇとが圧入方向（図１５における下方向）に沿って形成されているので、チューブなどを用いる必要がない。なお、第１の圧入部２３ｆ１の圧入口側にはテーパ部５７が形成されているので、第１の圧入部２３ｆ１への空気透過部材３２ｂの圧入を低荷重で確実に行うことができ、また、第２の圧入部２３ｆ２の圧入口側にはテーパ部５８が形成されているので、第２の圧入部２３ｆ２への空気透過部材３２ａの圧入を低荷重で確実に行うことができる。
【００４７】
ここにおいて、吸盤ブロック２３の第２の圧入部２３ｆ２に外径が１ｍｍの空気透過部材３２ａを圧入したタイマブロック２０を用いた遅れスイッチでは遅れ時間が略３分となり、吸盤ブロック２３の第１の圧入部２３ｆ１に外径が２ｍｍの空気透過部材３２ｂを圧入したタイマブロック２０を用いた遅れスイッチでは遅れ時間が略３０秒となる。なお、本実施形態では、空気透過部材３２ａを用いているので、遅れ時間が略３分となる。
【００４８】
また、吸盤ブロック２３は、第１の圧入部２３ｆ１の圧入方向に沿った長さが該第１の圧入部２３ｆ１に圧入可能な空気透過部材３２ｂの長さよりも長く設定され、第２の圧入部２３ｆ２の圧入方向に沿った長さが該第２の圧入部２３ｆ２に圧入可能な空気透過部材３２ａの長さよりも長く設定されている。しかして、空気透過部材３２ａ，３２ｂのいずれか一方を圧入する際に、当該空気透過部材３２ａ，３２ｂの押し込み過ぎや押し込み不足を防止することができ、製品ごとの遅れ時間のばらつきを低減することができる。
【００４９】
また、吸盤ブロック２３は、空気透過部材圧入部２３ｄの内径よりも内径が大きくタイマブロック２０の組み立て時に上述の空気透過部材３２ｂを仮保持可能な空気透過部材仮保持空間５６がシャフト４２の内部空間により形成されており、空気透過部材圧入部２３ｄの内部空間２３ｆへの空気透過部材３２ｂの圧入を効率良く確実に行うことができる。ここに、空気透過部材仮保持空間５６を空気透過部材圧入部２３ｄに設けると、圧入時のすべりが悪く空気透過部材３２ｂを圧入しずらいが、本実施形態ではポリアミド樹脂により形成されたシャフト４２の内部空間が空気透過部材仮保持空間５６を構成しているので、空気透過部材３２ｂを圧入する場合であっても圧入時に始めのすべりが良く挿入性が向上する。
【００５０】
また、吸盤ブロック２３は、吸盤２３ｂの吸着面と反対側に開口を有し吸盤２３ｂの吸着面側と素子用ケース２２の外側との間を仕切るダストカバー２３ａが吸盤２３ｂに連続一体に形成されている。ダストカバー２３ａは、開口された側の端部（前端部）に全周にわたって鍔部２３ｃが形成されており、鍔部２３ｃが素子用ケース２２内に形成された後述の圧入用凹部２２ｇに圧入されている。
【００５１】
ところで、ダストカバー２３ａの鍔部２３ｃの全周を圧入する際に一部圧入できない部分が生じる恐れがあるが、本実施形態では、上記鍔部２３ｃ（端部）に端面に近づくほど厚み方向の幅が徐々に小さくなるように面取り部が形成されているので、ダストカバー２３ａの端部を素子用ケース２２の圧入用凹部２２ｇ（圧入部）に圧入する際の挿入性が向上し、ダストカバー２３ａの端部（鍔部２３ｃ）の全周を簡単に少ない力で圧入することができる。なお、鍔部２３ｃの要所にはリブ２３ｅが連続一体に突設されている。
【００５２】
吸盤ブロック２３は、上述の吸盤２３ｂと、吸盤２３ｂと連続一体に形成されたダストカバー２３ａと、シャフト４２とで構成される。また、空気透過部材圧入部２３ｄが空気導入部を構成している。
【００５３】
なお、本実施形態では、ダストカバー２３ａによって吸盤２３ｂと素子用ケース２２の外側とが仕切られているので、吸盤２３ｂと被吸着体２４との間に塵等の異物が侵入するのを防ぐことができ、吸盤２３ｂと被吸着体２４との吸着状態が安定し、遅れ時間を略一定にすることができる。
【００５４】
次に、吸盤ブロック２３とカード２６との関係について説明する。
【００５５】
吸盤ブロック２３のシャフト４２は、外周に軸方向と略平行する一対の棒状のカード保持用ピン４２ｂが連続一体に形成されている。シャフト４２をカード２６（図７及び図８参照）に結合するには、シャフト４２を素子用ケース２２（図７及び図８参照）の前面に形成された挿通孔２２ｅに後方から挿通させ、両カード保持用ピン４２ｂそれぞれの先端部をカード２６の基端部２６ｆにおいて接点ばね押圧部２６ｃの両側に穿孔された挿通孔２６ｄに挿入して、レーザ光などによりカード保持用ピン４２ｂの先端部を加熱して溶かすことによってかしめている（熱かしめを行っている）。
【００５６】
ここに、シャフト４２のカード保持用ピン４２ｂの先端部の熱かしめ時にレーザ光で枠体２１およびカード２６が溶けてしまう恐れがあるが、本実施形態では、シャフト４２の色を黒色（ナイロン６６を顔料により黒色に着色してある）にし、枠体２１およびカード２６の色をシャフト４２の色に比べて上記レーザ光を吸収しにくい白色にしてあるので、シャフト４２にてレーザ光を効率良く吸収することができ、しかもレーザ光による枠体２１及びカード２６の溶解を防止することができる。
【００５７】
なお、本実施形態では、カード２６の基端部２６ｆの前面において挿通孔２２ｅ周縁に面取り部（図示せず）を設けてあるので、熱かしめしろが該面取り部に溜まり、かしめ強度が向上する。また、カード２６は、被押圧部２６ａの要所に平面部２６ａａを設けてあるので、離型用のピンを設置しやすく成形時に抜きやすくなっている。
【００５８】
本実施形態では、カード２６とシャフト４２とが結合されるので、カード２６の移動に応じて吸盤ブロック２３が移動し、吸盤２３が被吸着体２４へ吸着した状態（図１参照）と吸着していない状態（図３参照）とで吸盤２３の形状が変化する。
【００５９】
ところで、カード２６の基端部２６ｆの後部には、カード２６とシャフト４２とを結合した状態で空気透過部材圧入部２３ｄの内部空間２３ｆとカード２６の外部との間の空気の通路を構成する切欠き部よりなる空気取込口２６ｅが形成されている。また、吸盤ブロック２３は、吸盤２３ｂの内周底面に上記内部空間２３ｆと連通する通気孔２３ｇ（図１及び図３参照）が形成されており、吸盤２３ｂの内部空間と上記空気取込口２６ｅとの間が連通するようになっている。しかして、本実施形態では、吸盤２３ｂが被吸着体２４に吸着した状態では吸盤２３ｂと被吸着体２４との間に形成される空間へ、空気透過部材３２ａを通して空気が導入される。
【００６０】
素子用ケース２２の前面には、図７及び図８に示すように、上記挿通孔２２ｅの周辺に復帰ばね２７の一端部が嵌め込まれるばね受け溝２２ｂが形成されている。一方、カード２６の基端部２６ｆの後面には略凹形の一対のばね受け溝２６ｂ（図８参照）が形成されていて、復帰ばね２７の他端部を保持するようになっている。なお、ばね受け溝２６ｂには、開口周縁に面取り部（図示せず）が形成してあるので、復帰ばね２７の挿入が容易である。
【００６１】
ところで、タイマブロック２０は、吸盤２３ｂが被吸着体２４に吸着した状態で吸盤２３ｂと被吸着体２４との間に形成される空間に、カード２６の上記空気取込口２６ｅから上記内部空間２３ｆに入り込む空気が、空気透過部材３２ａを通じて吸盤２３ｂの通気孔２３ｇから入り込むようになっている。したがって、上述のアーム５０（図１参照）の両脚片よりなるカード押圧部５２がカード２６の両脚片よりなる被押圧部２６ａの先端から離れると、吸盤２３ｂの被吸着体２４への吸着力が徐々に弱くなり、この吸着力が復帰ばね２７の復元力よりも弱くなって吸盤２３ｂが被吸着体２４から離れるのである。
【００６２】
すなわち、ハンドル９０がオフ操作（セット解除操作）されると、アーム押圧片９０ｂ（図１参照）の先端部がアーム５０の湾曲部５０ａの内周面に沿って湾曲部５０ａから脱するように移動して、アーム５０のカード押圧部５２がカード２６の被押圧部２６ａを離れた時点から所定時間（遅れ時間）遅れてカード２６が前方（図１における上方）へ移動するのである。したがって、上述の空気透過部材３２ａの空気の透過率やサイズ（外径や長さ）、吸盤２３ｂの材料や、被吸着体２４の材料等を変えることで遅れ時間を調整することができるのである。
【００６３】
枠体２１は、例えばポリアミド樹脂（例えば、６６ナイロン）などにより構成され、図１６に示すように、両側面それぞれに前端から後端にわたってボディ１０に対する位置決め用突部２１ｃが突設されている。一方、ボディ１０は、図４及び図１７に示すように、タイマブロック収納部１２の内側面に、上記位置決め用突部２１ｃをガイドする位置決め溝１６ａが形成されているので、ボディ１０へのタイマブロック２０の逆挿入を防止することができる。
【００６４】
また、枠体２１は、ボディ１０の内側面との対向面にボディ１０への圧入リブ２１ｋが突設されており、ボディ１０に圧入されるので、組立中にタイマブロック２０がボディ１０の底面から浮き上がるのを防止することができ、組立性を良くすることができる。
【００６５】
なお、枠体２１は、上述のように内側面にカード２６の被押圧部２６ａ（両脚片）をスライド自在にガイドするガイド溝２１ｂが形成されており、タイマブロック２０を組み立てた状態では図７（ｂ）に示すようにカード２６の被押圧部２６ａ，２６ａの先端が枠体２１の前面よりも突出するようになっている。また、カード２６は、枠体２１に挿入する際に逆向きに挿入されるトラブルを防止するための一対の逆挿入防止用リブ２６ｇ（図７（ａ）及び図８参照）が基端部２６ｆから突設されている。
【００６６】
枠体２１と素子用ケース２２とは、図７及び図８に示すように素子用ケース２２の前面において該素子用ケース２２の四隅とばね受け溝２２ｂとの間の部位にから前方へ突設された４つ突部２２ｃによって位置決めされて固定される。つまり、素子用ケース２２は、枠体２１の内周面の各コーナ部に嵌合する４つの突部２２ｃ（嵌合用リブ）が設けられている。なお、各突部２２ｃは断面形状が三角形状であって、３つの角部それぞれにＲを設けることによって、枠体２１との嵌合時の突部２２ｃの挿入性（圧入性）を向上させている。
【００６７】
ところで、素子用ケース２２の挿通孔２２ｅの形状は円状であるが、組立時にシャフト４２のカード保持用ピン４２ｂが挿入される部位が切り欠いてある。しかしながら、４つの突部２２ｃを同じ形状及び大きさに形成した場合、枠体２１と素子用ケース２２とが逆組みされる恐れがある。このような逆組みを防止するには、図１８に示すように、素子用ケース２２に形成される突部２２ｃを１つだけ（図１８における右下の突部２２ｃだけ）大きくし、該突部２２ｃが挿入されるように枠体２１の形状を設定しておけば、枠体２１と素子用ケース２２との逆組みを防止することができる。また、大きさの代わりに形状を変えるようにしてもよい。
【００６８】
ボディ１０の端子収納部１４には速結端子よりなる上述の端子６０1，６０2（図４参照）が納装されている。ここに、端子６０1は、端子板６３ａと鎖錠ばね６１1とで構成され、鎖錠ばね６１1は、端子板６３ａと鎖錠ばね６１1との間にボディ１０の後壁の電線挿入口１７1（図１７参照）に挿入された電線に食い込んで抜け止めをする鎖錠片６１ｂと、電線に弾接する接触片６１ａとを備えている。したがって、電線挿入口１７1を通して鎖錠ばね６１1と端子板６３ａとの間に、鎖錠片６１ｂ側から電線を挿入すると、接触片６１ａ及び鎖錠片６１ｂのばね力によって電線が端子板６３ａとの間に挟持され、かつ鎖錠片６１ｂが電線に食い込むことによって電線を引き抜くことができなくなる（つまり、電線が接続保持される）。同様に端子６０2は端子板６３ｂと鎖錠ばね６１2とで構成され、ボディ１０の後壁の電線挿入口１７2（図１及び図１７参照）に挿入された電線が接触片６１ａ及び鎖錠片６１ｂのばね力によって端子板６３ｂとの間に挟持され、かつ鎖錠片６１ｂが電線に食い込むことによって電線を引き抜くことができなくなる。また、端子収納部１４には、両鎖錠ばね６１1，６１2に跨がるように解除釦６２ａが配設される。解除釦６２ａは両鎖錠ばね６１1，６１2の鎖錠片６１ｂに当接しており、解除釦６２ａが鎖錠片６１ｂに当接する部位は鎖錠片６１ｂ，６１ｂが端子板６３ａ，６３ｂとの間に電線を挟持する部位からずれている。また、解除釦６２ａに対応する部位でボディ１０の後壁には操作孔１９（図１７参照）が形成されており、操作孔１９にマイナスドライバの先端などを挿入して解除釦６２ａを押すことにより、電線に食い込んでいる鎖錠片６１ｂ，６１ｂを電線から離れる方向に撓ませて電線の引き抜きが可能となるようにしてある。
【００６９】
一方、端子収納部１３には、端子板６３ｃと一対の鎖錠ばね６１3，６１4とで構成される速結端子よりなる一対の端子６０3，６０4（図４参照）が納装されている。ここに、端子６０3，６０4は一つの端子板６３ｃを共通としている。端子６０3は電線挿入口１７3（図１７参照）に挿入された電線が鎖錠ばね６１3の接触片６１ａ及び鎖錠片６１ｂのばね力によって端子板６３ｃとの間に挟持され、端子６０4は電線挿入口１７4（図１７参照）に挿入された電線が鎖錠ばね６１4 の接触片６１ａ及び鎖錠片６１ｂのばね力によって端子板６３ｃとの間に挟持される。また、端子収納部１３には、端子収納部１４と同様に両鎖錠ばね６１3，６１4に跨がるように解除釦６２ｂが配設され、解除釦６２ｂに対応する部位でボディ１０の後壁には操作孔１９（図１及び図１７参照）が形成されている。
【００７０】
本実施形態では、端子収納部１４と端子収納部１３とがケース１の両端部側に離間して設けられているので、端子６０1，６０2と端子６０3，６０4との間の絶縁性を高めることができる。
【００７１】
上述の端子板６３ａ，６３ｂは、それぞれ別の固定接点６４ａ，６４ｂを有し、ケース１内において異なるスイッチ機構を形成している。なお、端子板６３ｃに結合される短冊状の接点ばね７０（図１９参照）は、タイマブロック２０がない状態では可動接点７２が端子板６３ａの固定接点６４ａに接触し所定の接点圧が得られるように付勢されている。
【００７２】
ただし、接点ばね７０は、タイマブロック２０のカード２６の接点ばね押圧部２６ｃの前方を通るように端子板６３ｃから延出されているので、接点ばね７０が接触ばね押圧部２６ｃにより前方に押し上げられた状態では、可動接点７２が端子板６３ａの固定接点６４ａから離れるようになっている。ここで、接点ばね７０、可動接点７２、固定接点６４ａで１つのスイッチ機構（遅れスイッチ機構）を構成している。
【００７３】
また、端子板６３ｃの前端部からはリード板６５が連続一体に延出されており、リード板６５の先端に形成された凸状部６６の両側部の立ち上がり部６６ａ（図４及び図１７参照）に揺動体７３の切欠き７３ａ（図４及び図１７参照）が係合し、この凸状部６６を支点として、揺動体７３が揺動自在となっている。一方、揺動体７３には、可動接点７４が固着される折曲片７３ｂが一体に折曲形成されており、ハンドル９０の操作に応じて、折曲片７３ｂに固着された可動接点７４と端子板６３ｂの固定接点６４ｂとが接離するようになっている（図１及び図３参照）。
【００７４】
接点ばね７０は、枠体２１の前部に形成された一対の支持片２１ｅの間の空間で可動して一端部に固着された可動接点７２が固定接点６４ａと接離するようになっている。ところで、本実施形態では、接点ばね７０の他端部を図１９に示すようにボディ１０の後壁に近づく向きに膨らむコ字状に形成してある。これは、接点ばね７０の他端部をＬ字状に形成した場合、施工時に上述の電線挿入口１７3，１７4（図１７参照）から挿入された電線の先端部が接点ばね７０に触れて接点ばね７０が動かなくなったり、折曲部に応力が集中し、曲げ根元が折れる恐れがあるからである。要するに、本実施形態では、接点ばね７０の他端部が、ボディ１０の後壁に近づく向きに膨らむコ字状に形成されているので、電線挿入口１７3，１７4から挿入された電線の先端部がケース１内で曲がったような異常挿入時に電線の先端部が接点ばね７０に触れるのを防止することができる。また、接点ばね７０の他端部がコ字状に形成されていることにより、接点ばね７０の他端部がＬ字状に形成されている場合に比べて接点ばね７０の動作時に折曲部にかかる応力を分散でき、接点ばね７０の寿命を向上させることができる。
【００７５】
また、接点ばね７０の一端部に固着された可動接点７２が接離する固定接点６４ａは、端子板６３ａから連続一体に延設された延設片６３ａａに固着されている。ここで、仮に延設片６３ａａが端子板６３ａから垂直に折曲されている場合、可動接点７２が固定接点６４ａに接触した状態で延設片６３ａａと接点ばね７０とが平行にならないので、固定接点６４ａ及び可動接点７２が消耗した時に両接点６４ａ，７２の中心同士が当たらずにずれていき、開閉性能を満足しなくなる恐れがあるが、本実施形態では、可動接点７２が固定接点６４ａに接触した状態で延設片６３ａａと接点ばね７０とが略平行になるように、端子板６３ａに対する延設片６３ａａの折曲角度を設定してあるので、延設片６３ａａと接点ばね７０との接線性が保たれ、開閉性能が向上し、寿命も向上する。要するに、固定接点６４ａ及び可動接点７２が消耗した状態でも、両接点６４ａ，７２の中心同士が当たるので、開閉性能の劣化を防止することができる。
【００７６】
ところで、枠体２１は、図１６に示すように、一側面に、端子板６３ａ，６３ｂそれぞれの脚部６３ａ1，６３ｂ1（図４参照）が位置決めされる端子板脚部受け部４６1，４６2（端子板受け部）が凹設され、枠体２１の上記一側面と反対側の側面には、端子板６３ｃの脚部６３ｃ1，６３ｃ2（図４参照）が位置決めされる端子板脚部受け部４６3，４６4（端子板受け部）が凹設されているので、端子板６３ａ，６３ｂ，６３ｃに生じる力を枠体２１により確実に受け止めることができ、上述の端子６０1〜６０4の信頼性を確保することができる。なお、枠体２１の支持片２１ｅには、端子板６３ｃ（リード板６５）と線接触する端子仮保持用リブ２１ｇが突設されており、組み立て時に接点ばね７０のばね力により端子板６３ｃがボディ１０から浮き上がるのを防止し、組み立て性を良くすることができる。
【００７７】
さらに、枠体２１には、端子６０1，６０2間の絶縁性能の劣化を防止するための端子間絶縁壁４９が端子板脚部受け部４６1，４６2間に設けてあるので、両端子６０1，６０2間の絶縁性能を向上させることができる。
【００７８】
素子用ケース２２は、例えばＰＢＴなどにより形成され、図１８に示すように、後面が開口した箱状（直方体状）であって４隅に面取りが施されて素子用ケース２２の厚さを略均一にしてあるので、ひけなどの成形不良を防止することができる。なお、素子用ケース２２は、上述のばね受け溝２２ｂの周壁と素子用ケース２２の内側面との間に、ダストカバー２３ａの鍔部２３ｃが圧入される圧入用凹部２２ｇ（図７（ｂ）参照）が円環状に形成されている。
【００７９】
ところで、素子用ケース２２の後部には、被吸着体２４が圧入される圧入部（図示せず）が形成されており、タイマブロック２０の組み立て時には、被吸着体２４が素子用ケース２２の圧入部に圧入されるので、被吸着体２４が素子用ケース２２に仮止めされ、フィルタ２５の装着が容易となる。なお、圧入部は、被吸着体２４の側面に圧接する圧入用リブ（図示せず）が突設されている。また、被吸着体２４の形状は図２０に示すように正八角形としたので、底面が四角形の素子用ケース２２に対して、フィルタ２５の接着面積を大きく確保することがき、さらに、素子用ケース２２の薄肉部を少なくすることができ、素子用ケース２２の強度を高めることができる。ここに、フィルタ２５は、粘着層２５ａを介して素子用ケース２２の後面に接着される。また、被吸着体２４が正八角形に形成されていることにより、素子用ケース２２の圧入部へ被吸着体２４を圧入する際に、被吸着体２４の面内における方向の制限が少ないので、組立性が向上する。
【００８０】
被吸着体２４は、例えばＰＴＦＥなどのフッ素樹脂（テフロン（登録商標））により形成されているので、被吸着体２４の表面粗さ、摩擦係数を小さくすることができ、吸盤２３ｂが吸着される被吸着面の摩耗を抑制することができるから、遅れ時間の変動を防止することができる。また、被吸着体２４は、平板を打ち抜いて構成することにより、成形でつくる場合に比べてコストを安くすることができる。しかも、被吸着体２４は、厚み方向の両面を同じ仕上げにしてあるので、表裏の区別をする必要がなく、逆組み防止の必要がないから、組立性が向上する。なお、タイマブロック２０のうち枠体２１を除いた部分で遅延素子を構成している。
【００８１】
ところで、上述のハンドル９０の後部には、図２１ないし図２４に示すように表示用素子たるネオンランプ７７および抵抗７９が回路基板（プリント配線板）７６に実装されたネオンランプブロック（表示素子ブロック）７が配設されており（図１及び図６参照）、ネオンランプ７７の一方のリードは抵抗７９の一端に接続されている。抵抗７９の他端は板ばねよりなる接触子７８ｂを介してコイルスプリング９６に接続されている。ここに、接触子７８ｂは、ハンドル９０に形成された凹部９７（図６参照）の底面近傍に一端部が配置されてコイルスプリング９６に電気的に接続されている。また、ネオンランプ７７の他方のリードは板ばねよりなる接触子７８ａに電気的に接続される。すなわち、接触子７８ａとネオンランプ７７と抵抗７９と接触子７８ｂとが直列接続されている。ところで、接触子７８ａはハンドル９０の操作に応じて、端子板６３ａに取り付けられた接触子７８ｃ（図４参照）に接離するようになっており、接触子７８ａは遅れスイッチのオフ状態（図３参照）では接触子７８ｃに接触しており、遅れスイッチのオン状態（図１参照）では接触子７８ｃから離れている。なお、接触子７８ａと接触子７８ｃとで通電手段を構成している。
【００８２】
ここにおいて、コイルスプリング９６は端子板６３ｃに電気的に接続されているから、コイルスプリング９６及び接触子７８ｂを介してネオンランプブロック７への電源をとることができる。なお、接触子７８ｂは板ばねよりなり、板厚を薄くしてあるので、コイルスプリング９６の長さに比べて板厚が十分に小さく、ハンドル９０の操作荷重への影響は小さい。
【００８３】
また、本実施形態では、接触子７８ａを接触子７８ｃに接触させるようになっているので、接触子７８ａを端子板６３ａへ直接接触させる場合に比べて接触子７８ａの長さを短くすることができ、回路基板７６から突出する接触子７８ａの長さが短くなり、ネオンランプブロック７の組立が容易になるとともに、ネオンランプブロック７の取り扱いが容易になる。
【００８４】
なお、接触子７８ｃは、図１及び図２５に示すように、カバー８０の後面と端子板６３ａとの間に挟持される第１の足部７８ｃ1が設けられているので、組立後に接触子７８ｃが倒れるのを防止することができる。また、接触子７８ｃは、図２５に示すように、組立時に端子板６３ａに仮り止めするための第２の足部７８ｃ2が設けられているので、組立時には、端子板６３ａと枠体２１の端子板脚受け部４６1との隙間に第２の足部７８ｃ2が入ることになり、組立中に接触子７８ｃが倒れるのを防止することができる。
【００８５】
また、ネオンランプ７７は、ハンドル９０の後面側に結合される回路基板７６に実装されてハンドル９０のランプカバー部９１ａに対向する位置に配設されているので、上述のランプカバー部９１ａ（図１参照）を通じて外部へ光が照射されるようになっている。したがって、本実施形態の遅れスイッチのオフ状態では、夜などの周囲が暗い場合であっても、ネオンランプ７７の光によってケース１の位置を視認できるようになっている。
【００８６】
以上説明した本実施形態の遅れスイッチを例えばトイレの換気扇及び照明負荷の操作に用いる場合、端子６０3と端子６０4とは共通の端子板６３ｃを有しているので、端子６０2に照明負荷を接続し、端子６０1に換気扇を接続すればよい。この場合、ハンドル９０をオン操作（セット操作）すると、照明負荷が点灯するとともに換気扇が運転され、ハンドル９０をオフ操作（セット解除操作）すると、照明負荷だけ直ちに消灯され、遅れ時間の経過後に換気扇が停止される。したがって、換気扇を直ちに止めたときに生じる不便をなくし、しかも換気扇の消し忘れを防止することができる。ここにおいて、ハンドル９０をオフ操作すると、接触子７８ａが端子板６３ａに接続された接触子７８ｃに接触するので、ネオンランプ７７が点灯する。なお、この遅れスイッチは、トイレ以外の種々の場所での使用も可能である。また、遅れ時間は、使用環境や使用目的に合わせて適宜設定すればよい。
【００８７】
（実施形態２）
図２６乃至図２９に示す本実施形態の遅れスイッチの基本構成及び基本動作は実施形態１と略同じであり、スイッチ機構をタイマブロック２０に関係する１つだけにした点が相違する。つまり、本実施形態では、実施形態１で説明した端子板６３ｂ及び固定接点６４ｂを備えていない点と、端子板６３ａの形状及び揺動体７３の形状が実施形態１と相違する。さらに、本実施形態では、タイマブロック２０は、図３０及び図３１に示すように、外径が２ｍｍの空気透過部材３２ｂを吸盤ブロック２３の第１の圧入部２３ｆ１に圧入してある。要するに、本実施形態では、実施形態１で説明した遅れ時間が略３０秒に設定される。なお、実施形態１と同様の構成要素には同一の符号を付し説明を省略する。
【００８８】
本実施形態の遅れスイッチにおける揺動体７３は、図２７に示すような略コ字形の形状であって、実施形態１のような折曲片７３ｂ（図１参照）がなく可動接点７４は備えていない。
【００８９】
次に、本実施形態の遅れスイッチの動作を説明する。
【００９０】
図２８は本実施形態の遅れスイッチのオフ状態を示し、この状態で操作部たるハンドル９０をオン操作（セット操作）すると、ハンドル９０のアーム押圧片９０ｂが回動し、アーム押圧片９０ｂの先端部がアーム５０の湾曲部５０ａに沿って移動する。しかして、ハンドル９０をオン操作すると、コイルスプリング９６が逆方向に傾くことによってアーム押圧片９０ｂによりアーム５０が回動してアーム５０の先端のカード押圧部５２がカード部２６の被押圧部２６ａを押し、復帰ばね２７の付勢力に抗してカード２６が移動し（図２８における下方へ押し下げられ）、接点ばね７０の可動接点７２が端子板６３ａの固定接点６４ａに接触してこの電路がオン状態になるのである。また、カード２６が移動することにより、吸盤２３ｂが被吸着体２４に接する位置まで押し下げられて吸盤２３ｂが被吸着体２４に吸着し、カード２６が押し下げられている状態では、吸盤２３ｂが被吸着体２４に吸着保持される。
【００９１】
一方、図２６及び図２７は本実施形態の遅れスイッチのオン状態を示し、この状態でハンドル９０をオフ操作（セット解除操作）すると、アーム押圧片９０ｂの先端部がアーム５０の湾曲部５０ａに沿って湾曲部５０ａから脱するように移動することによりアーム５０が回動し、アーム５０のカード押圧部５２がカード２６の被押圧部２６ａから離れるように移動する。しかして、ハンドル９０をオフ操作すると、コイルスプリング９６が逆方向に傾き、上述の遅れ時間が経過すると、復帰ばね２７の復元力によってカード２６が前方へ移動し接点ばね押圧部２６ｃが接点ばね７０を前方へ押すので、可動接点７２が固定接点６４ａから開離されこの電路（スイッチ機構）がオフ状態になる。
【００９２】
本実施形態の遅れスイッチを例えば玄関などにおける照明負荷の操作に用いる場合には、端子６０1と端子６０3（又は端子６０4）との間に照明負荷を接続すればよい。この場合、ハンドル９０をオン操作（セット操作）すると、照明負荷が点灯し、ハンドル９０をオフ操作（セット解除操作）すると、遅れ時間の経過後に照明負荷が消灯される。したがって、例えば外出時や帰宅時に照明負荷を点灯させた後にハンドル９０をオフ操作した場合、照明負荷が消灯されるまでに遅れ時間があるので、人が玄関から離れる前に照明負荷が消灯されてしまうような不都合をなくすことができる。
【００９３】
【発明の効果】
請求項１の発明は、操作部のセット操作に連動して移動する吸盤ブロックと、該吸盤ブロックと共動してスイッチ機構を開閉するカードと、該移動した吸盤ブロックを吸着保持する被吸着体と、吸盤ブロックが被吸着体から離れる向きに吸盤ブロックを付勢する復帰ばねと、吸盤ブロックに設けられ吸盤ブロックが被吸着体に吸着した状態において吸盤ブロックと被吸着体との間に形成される空間へ連通する筒状の空気導入部と、空気導入部に圧入される遅れ時間調整用の空気透過部材とを備え、空気透過部材は、円柱状に形成され、吸盤ブロックの空気導入部は、少なくとも外径の異なる２種類の空気透過部材が圧入可能であって内径が大きな第１の圧入部と第１の圧入部よりも内径が小さな第２の圧入部とが圧入方向に沿って形成されている。この構成によれば、操作部のセット解除操作時には、吸盤ブロックの被吸着体への吸着力と復帰ばねのばね力とのバランスにより吸盤ブロックが被吸着体から離れるまでに遅れ時間が生じるから、従来のようなギアが不要となり、従来の遅延ユニットを有する遅れスイッチに比べて構成が簡単で信頼性が高く、低コスト化が図れるとともに、騒音が小さくなるという効果がある。また、従来のようなギアが必要ないので、操作部の操作がスムーズになるという効果がある。また、吸盤ブロックが被吸着体に吸着した状態において吸盤ブロックと被吸着体との間に形成される内部空間へ連通する空気導入部に圧入される空気透過部材を有し、空気導入部は、少なくとも外径の異なる２種類の空気透過部材が圧入可能であって内径が大きな第１の圧入部と第１の圧入部よりも内径が小さな第２の圧入部とが圧入方向に沿って形成されているので、外径の異なる空気透過部材を圧入することができ、空気透過部材の材料やサイズを変えることにより遅れ時間を調整することができ、しかも空気透過部材の位置決めが容易であるという効果がある。
【００９４】
請求項２の発明は、請求項１の発明において、第１の圧入部および第２の圧入部はそれぞれ圧入可能な空気透過部材の軸方向の長さよりも圧入方向の長さが大きく設定されている。この構成によれば、第１の圧入部および第２の圧入部はそれぞれ圧入可能な空気透過部材の軸方向の長さよりも圧入方向の長さが大きく設定されているので、空気透過部材を圧入する際に空気透過部材の押し込み過ぎや押し込み不足を防止することができ、遅れ時間のばらつきを低減することができるという効果がある。
【００９５】
請求項３の発明は、請求項１または請求項２の発明において、吸盤ブロックには、カードと空気導入部との間に介在し軸方向が空気導入部に一致する形で空気導入部に接着された筒状のシャフトが一体に設けられ、シャフトには、空気導入部との接着面の要所に微小な凹凸が形成されている。この構成によれば、シャフトには、空気導入部との接着面の要所に微小な凹凸が形成されているので、シャフトと空気導入部との接着強度が増し、耐久信頼性が向上するという効果がある。
【００９６】
請求項４の発明は、請求項１または請求項２の発明において、吸盤ブロックにはカードと空気導入部との間に介在し軸方向が空気導入部に一致する形で空気導入部に取り付けられたシャフトが一体に設けられ、シャフトは、該シャフトの内径が空気導入部の内径よりも大きく設定され、かつ、ポリアミド樹脂により形成されている。この構成によれば、シャフトは、該シャフトの内径が空気導入部の内径よりも大きく設定されているので、シャフト内に空気透過部材を仮保持することができ、また、シャフトはポリイミド樹脂により形成されているので、自己潤滑性に優れ、空気透過部材を空気導入部へ圧入する際にシャフト内から空気導入部への空気透過部材の挿入性を向上させることができるという効果がある。
【００９７】
請求項５の発明は、請求項１ないし請求項４の発明において、上記吸盤ブロックが被吸着体に吸着する吸盤を有し、少なくとも吸盤及び被吸着体を収納する素子用ケースと、吸盤ブロックに設けられ吸盤の吸着面と反対側に開口を有し吸盤の吸着面側と素子用ケースの外側との間を仕切るダストカバーとを備え、素子用ケースは、ダストカバーの開口された側の端部が全周にわたって圧入される圧入部が形成され、ダストカバーは、上記端部に端面に近づくほど厚み方向の幅が小さくなるような面取り部が形成されている。この構成によれば、少なくとも吸盤及び被吸着体を収納する素子用ケースを備えているので、素子用ケースにより吸盤と被吸着体との間に塵や埃等の異物が侵入するのを抑制でき、吸盤と被吸着体との吸着状態が安定し、遅れ時間を略一定とすることができるという効果がある。さらに、吸盤ブロックに設けられ吸盤の吸着面と反対側に開口を有し吸盤の吸着面側と素子用ケースの外側との間を仕切るダストカバーを備えているので、簡単な構造で吸盤の動きを妨げることなく吸盤と被吸着体との間に塵や埃等が侵入するのを確実に防止することができるという効果がある。しかも、素子用ケースは、ダストカバーの開口された側の端部が全周にわたって圧入される圧入部が形成され、ダストカバーは、上記端部に面取り部が形成されているので、ダストカバーの端部を素子用ケースの圧入部に圧入する際の挿入性が向上し、ダストカバーの端部の全周を簡単に圧入することができるという効果がある。
【００９８】
請求項６の発明は、請求項１ないし請求項４の発明において、上記吸盤ブロックが被吸着体に吸着する吸盤を有し、吸盤は、被吸着体への粘着を防止するダボが該吸盤の内周底面に突設されている。この構成によれば、吸盤は、被吸着体への粘着を防止するダボが該吸盤の内周底面に突設されているので、被吸着体へ吸盤が粘着するのを防止することができるという効果がある。
【００９９】
請求項７の発明は、請求項１ないし請求項６の発明において、カードが挿入されカードの移動をガイドするとともに少なくとも復帰ばねを囲む枠体と、上記スイッチ機構である第１のスイッチ機構が接続された一対の端子と、操作部のセット操作及びセット解除操作それぞれにより閉成及び開成される第２のスイッチ機構と、該第２のスイッチ機構が接続された一対の端子とを備え、第１のスイッチ機構に接続された一対の端子の一方と第２のスイッチ機構に接続された一対の端子の一方とを共通化し、第１のスイッチ機構に接続された一対の端子の他方と第２のスイッチ機構に接続された一対の端子の他方とを絶縁する端子間絶縁壁を上記枠体に設けてある。この構成によれば、枠体に端子間絶縁壁を設けたことにより、第１のスイッチ機構と第２のスイッチ機構との絶縁性能を向上させることができるという効果がある。
【０１００】
請求項８の発明は、請求項１または請求項２の発明において、少なくとも吸盤ブロック及び被吸着体及びカード及び復帰ばねにより構成される遅延素子の要所を囲む枠体と、少なくとも枠体及び遅延素子及び端子を収納するケースとを備え、ケースは、前面が開口した後端側のボディと、前端側のカバーとで構成され、枠体は、ボディとの対向面に圧入リブが突設されている。この構成によれば、枠体を備えていることにより、外部から遅延素子の要部に外力が働くのを防止することができ、また、枠体は、ボディとの対向面に圧入リブが突設されているので、組立時に枠体が浮き上がるのを防止することができ、組立性が向上するという効果がある。
【０１０１】
請求項９の発明は、請求項１または請求項２の発明において、上記吸盤ブロックが被吸着体に吸着する吸盤を有し、少なくとも吸盤及び被吸着体を収納する素子用ケースと、カードが挿入されカードの移動をガイドするとともに少なくとも復帰ばねを囲み素子用ケースに結合される矩形枠状の枠体とを備え、素子用ケースは、枠体の内周面の各コーナ部に嵌合する４つの嵌合用リブが設けられ、且つ、４つの嵌合用リブのうちの１つを他と異なる形状または大きなサイズに設定し、枠体の内周面の各コーナ部のうち上記１つの嵌合用リブに対応した部位のみ当該嵌合用リブが嵌合可能な形状に形成されている。この構成によれば、少なくとも吸盤及び被吸着体を収納する素子用ケースを備えていることにより、吸盤と被吸着体との間に塵や埃等の異物が侵入するのを抑制でき、吸盤と被吸着体との吸着状態が安定し、遅れ時間を略一定とすることができるという効果がある。また、カードが挿入されカードの移動をガイドするとともに少なくとも復帰ばねを囲み素子用ケースに結合される矩形枠状の枠体を備えているので、外部からカードや復帰ばねに外力が働くのを防止することができ、動作が安定するという効果がある。しかも、素子用ケースは４つの嵌合用リブのうちの１つを他と異なる形状または大きなサイズに設定し、枠体の内周面の各コーナ部のうち上記１つの嵌合用リブに対応した部位のみ当該嵌合用リブが嵌合可能な形状に形成されているので、素子用ケースと枠体との逆組みを防止することができるという効果がある。
【０１０２】
請求項１０の発明は、請求項１または請求項２の発明において、上記吸盤ブロックが被吸着体に吸着する吸盤を有し、少なくとも吸盤及び被吸着体を収納する素子用ケースとを備え、素子用ケースは、後面が開口した箱状であって、被吸着体が圧入される圧入部が後部に形成され、被吸着体は、正八角形に形成されている。この構成によれば、少なくとも吸盤及び被吸着体を収納する素子用ケースを備えているので、吸盤と被吸着体との間に塵や埃等の異物が侵入するのを抑制でき、吸盤と被吸着体との吸着状態が安定し、遅れ時間を略一定とすることができるという効果がある。しかも、素子用ケースは、後面が開口した箱状であって、被吸着体が圧入される圧入部が後部に形成され、被吸着体は、正八角形に形成されているので、素子用ケースの圧入部へ被吸着体を圧入する際に、被吸着体の面内における方向の制限が少なくなり、組立性が向上するという効果がある。
【０１０３】
請求項１１の発明は、請求項１または請求項２の発明において、カードが挿入されカードの移動をガイドするとともに少なくとも復帰ばねを囲む枠体を備え、吸盤ブロックには、カードと空気導入部との間に介在し軸方向が空気導入部に一致する形で空気導入部に取り付けられたシャフトが一体に設けられ、シャフトには、カードの要所に形成された挿通孔に挿通されて先端部がレーザ光によりかしめられたカード保持用ピンが設けられ、カードおよび枠体それぞれの色は、シャフトの色に比べて上記レーザ光を吸収しにくい色としてある。この構成によれば、カードが挿入されカードの移動をガイドするとともに少なくとも復帰ばねを囲む枠体を備えているので、外部からカードや復帰ばねに外力が働くのを防止することができるという効果がある。さらに、カードおよび枠体それぞれの色は、シャフトの色に比べて上記レーザ光を吸収しにくい色としてあるので、シャフトとカードとを結合する際にレーザ光によりカード及び枠体が溶けるのを防止することができるという効果がある。
【０１０４】
請求項１２の発明は、請求項１または請求項２の発明において、スイッチ機構が電気的に接続される一対の端子と、少なくとも吸盤ブロック及びカード及び被吸着体及び復帰ばね及び一対の端子を収納するケースとを備え、各端子はそれぞれ、ケースに設けられた電線挿入口から挿入される電線が接続される端子板と、端子板に電線をばね力によって接続保持する鎖錠ばねとを有し、一方の端子板には、固定接点が設けられ、他方の端子板には、一端部に可動接点を有する短冊状の接点ばねの他端部が電線挿入口からずれた位置で取り付けられ、接点ばねの他端部は、ケースの電線挿入口が設けられた面に近づく向きに膨らむコ字状に形成されている。この構成によれば、各端子はそれぞれ、ケースに設けられた電線挿入口から挿入される電線が接続される端子板と、端子板に電線をばね力によって接続保持する鎖錠ばねとを有するので、電線を容易に接続することができるという効果がある。また、接点ばねの他端部が、ケースの電線挿入口が設けられた面に近づく向きに膨らむコ字状に形成されているので、電線挿入口から挿入された電線の先端部が曲がったような異常挿入時に電線の先端部が接点ばねに触れるのを防止することができ、接点ばねが動かなくなるのを防止することができ、また、接点ばねの他端部がコ字状に形成されていることにより、接点ばねの他端部がＬ字状に形成されている場合に比べて接点ばねの動作時に折れ曲がった部位にかかる応力を分散でき、接点ばねの寿命を向上させることができるという効果がある。
【０１０５】
請求項１３の発明は、請求項１または請求項２の発明において、スイッチ機構が電気的に接続される一対の端子板とを備え、一対の端子板は、固定接点が設けられる固定接点用端子板と、一端部に可動接点を有する短冊状の接点ばねの他端部が取り付けられる可動接点用端子板とからなり、上記固定接点は、該固定接点に可動接点が接触した状態で両接点の接触面と接点ばねとが略平行になるように設けられている。この構成によれば、固定接点が、該固定接点に可動接点が接触した状態で両接点の接触面と接点ばねとが略平行になるように設けられているので、両接点が消耗しても両接点の中心同士を接触させることができ、開閉性能の劣化を防止することができるという効果がある。
【０１０６】
請求項１４の発明は、請求項１または請求項２の発明において、少なくとも吸盤ブロック及び被吸着体及びカード及び復帰ばねが収納され、操作部の一部が前面から突出するケースとを備え、ケースは、前面が開口されたボディと、操作部の一部が前面から突出するような形で操作部を収納する開口部が形成されボディに結合されたカバーとで構成され、操作部は、後面側の要所に該操作部とカバーとの間に形成される隙間を隠すオーバーラップ部が延設されている。この構成によれば、操作部には、後面側の要所に該操作部とカバーとの間に形成される隙間を隠すオーバーラップ部が延設されているので、スイッチ機構の開閉に伴うケース外部へのアークの透過を防止することが可能となるという効果がある。
【０１０７】
請求項１５の発明は、請求項１または請求項２の発明において、上記スイッチ機構が接続された一対の端子と、操作部の後面側に結合され操作部のセット解除操作時に上記一対の端子間に接続される表示用発光素子が回路基板に実装された表示素子ブロックとを備え、上記操作部のセット操作時に上記一対の端子間が電気的に接続されるように傾き且つ上記操作部のセット解除操作時に上記一対の端子間が電気的に非接続となるように傾くコイルスプリングが上記一対の端子の一方に電気的に接続され、表示素子ブロックは、上記コイルスプリングに電気的に接続される板ばねよりなる接触子が設けられている。この構成によれば、操作部の後面側に結合され操作部のセット解除操作時に上記一対の端子間に接続される表示用発光素子が回路基板に実装された表示素子ブロックを備えているので、操作部がセット解除操作された状態では表示用発光素子が点灯し夜間等の周囲が暗い場合でも操作部の位置を確認することが可能となるという効果がある。さらに、上記操作部のセット操作時に上記一対の端子間が電気的に接続されるように傾き且つ上記操作部のセット解除操作時に上記一対の端子間が電気的に非接続となるように傾くコイルスプリングが上記一対の端子の一方に電気的に接続され、表示素子ブロックには上記コイルスプリングに電気的に接続される板ばねよりなる接触子が設けられているので、上記コイルスプリングを介して表示素子ブロックへの電源をとることが可能となるという効果がある。
【０１０８】
請求項１６の発明は、請求項１または請求項２の発明において、上記スイッチ機構が接続された一対の端子板と、操作部のセット解除操作時に上記一対の端子板間に通電手段を介して接続される表示用発光素子が回路基板に実装された表示素子ブロックとを備え、上記通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなる。この構成によれば、操作部のセット解除操作時に上記一対の端子板間に通電手段を介して接続される表示用発光素子が回路基板に実装された表示素子ブロックを備えているので、操作部がセット解除操作された状態では表示用発光素子が点灯し夜間等の周囲が暗い場合でも操作部の位置を確認することが可能となるという効果がある。さらに、通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなるので、回路基板から突設させる接触子を直接上記一方の端子板に直接接触させる場合に比べて接触子の長さを短くすることができ、表示素子ブロックの組立が容易になるとともに、表示素子ブロックの取り扱いが容易になるという効果がある。
【０１０９】
請求項１７の発明は、請求項１または請求項２の発明において、上記スイッチ機構が接続された一対の端子板と、操作部のセット解除操作時に上記一対の端子板間に通電手段を介して接続される表示用発光素子が回路基板に実装された表示素子ブロックと、少なくとも吸盤ブロック及び被吸着体及びカード及び復帰ばね及び一対の端子板及び表示素子ブロック及び通電手段が収納され操作部の一部が前面から突出するケースとを備え、ケースは、前面が開口されたボディと、操作部の一部が前面から突出するような形で操作部を収納する開口部が形成されボディに結合されたカバーとで構成され、上記通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなり、第１の接触子は、カバーの後面と上記一方の端子板のカバーへの対向面との間に挟持される足部が設けられている。この構成によれば、操作部のセット解除操作時に上記一対の端子板間に通電手段を介して接続される表示用発光素子が回路基板に実装された表示素子ブロックを備えているので、操作部がセット解除操作された状態では表示用発光素子が点灯し夜間等の周囲が暗い場合でも操作部の位置を確認することが可能となるという効果がある。さらに、通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなるので、回路基板から突設させる接触子を直接上記一方の端子板に直接接触させる場合に比べて接触子の長さを短くすることができ、表示素子ブロックの組立が容易になるとともに、表示素子ブロックの取り扱いが容易になるという効果がある。しかも、第１の接触子に、カバーの後面と上記一方の端子板のカバーへの対向面との間に挟持される足部が設けられているので、組立後に第１の接触子が倒れるのを防止することができるという効果がある。
【０１１０】
請求項１８の発明は、請求項１または請求項２の発明において、上記スイッチ機構が接続された一対の端子板と、操作部のセット解除操作時に上記一対の端子板間に通電手段を介して接続される表示用発光素子が回路基板に実装された表示素子ブロックと、少なくとも吸盤ブロック及び被吸着体及びカード及び復帰ばね及び一対の端子板及び表示素子ブロック及び通電手段が納装され操作部の一部が前面から突出するケースとを備え、ケースは、前面が開口されたボディと、操作部の一部が前面から突出するような形で操作部を収納する開口部が形成されボディに結合されたカバーとで構成され、上記通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなり、第１の接触子は、上記一方の端子板に仮り止めするための足部が設けられている。この構成によれば、操作部のセット解除操作時に上記一対の端子板間に通電手段を介して接続される表示用発光素子が回路基板に実装された表示素子ブロックを備えているので、操作部がセット解除操作された状態では表示用発光素子が点灯し夜間等の周囲が暗い場合でも操作部の位置を確認することが可能となるという効果がある。さらに、通電手段は、上記一対の端子板の一方に該端子板から操作部の後面側へ向かって突出する形で取り付けられた第１の接触子と、上記回路基板から突設され操作部のセット解除操作に連動して第１の接触子に接触する第２の接触子とからなるので、回路基板から突設させる接触子を直接上記一方の端子板に直接接触させる場合に比べて接触子の長さを短くすることができ、表示素子ブロックの組立が容易になるとともに、表示素子ブロックの取り扱いが容易になるという効果がある。しかも、第１の接触子に、上記一方の端子板に仮り止めするための足部が設けられているので、組立中に第１の接触子が倒れるのを防止することができるという効果がある。
【図面の簡単な説明】
【図１】実施形態１を示し、オン状態の断面図である。
【図２】同上を示し、（ａ）はオン状態の平面図、（ｂ）はオン状態の正面図、（ｃ）はオン状態の側面図である。
【図３】同上を示し、オフ状態の断面図である。
【図４】同上の分解斜視図である。
【図５】同上に用いるカバー及びハンドル等の下面図である。
【図６】同上の要部断面図である。
【図７】同上に用いるタイマブロックを示し、（ａ）は平面図、（ｂ）は断面図である。
【図８】同上に用いるタイマブロックの分解斜視図である。
【図９】同上に用いる吸盤ブロックを示し、（ａ）は平面図、（ｂ）は正面図、（ｃ）は下面図である。
【図１０】図９（ａ）のＡ−Ａ’断面図である。
【図１１】図１０の要部Ｄの拡大図である。
【図１２】図９（ａ）のＢ−Ｂ’断面図である。
【図１３】図１２の要部Ｃの拡大図である。
【図１４】同上に用いるシャフトを示し、（ａ）は断面図、（ｂ）は下面図である。
【図１５】同上に用いる吸盤ブロックと空気透過部材との説明図である。
【図１６】同上に用いる枠体を示し、（ａ）は平面図、（ｂ）は正面図である。
【図１７】同上の要部平面図である。
【図１８】同上に用いる素子用ケースの一例の平面図である。
【図１９】同上に用いる接点ばねの説明図である。
【図２０】同上に用いる被吸着体を示し、（ａ）は平面図、（ｂ）は正面図である。
【図２１】同上に用いるネオンランプブロックの平面図である。
【図２２】同上に用いるネオンランプブロックの正面図である。
【図２３】同上に用いるネオンランプブロックの下面図である。
【図２４】同上に用いるネオンランプブロックの分解斜視図である。
【図２５】同上に用いる接触子を示し、（ａ）は平面図、（ｂ）は正面図である。
【図２６】実施形態２を示し、（ａ）はオン状態の平面図、（ｂ）はオン状態の正面図、（ｃ）はオン状態の側面図である。
【図２７】同上を示し、オン状態の断面図である。
【図２８】同上を示し、オフ状態の断面図である。
【図２９】同上の分解斜視図である。
【図３０】同上に用いるタイマブロックを示し、（ａ）は平面図、（ｂ）は断面図である。
【図３１】同上に用いるタイマブロックの分解斜視図である。
【符号の説明】
１  ケース
２３  吸盤ブロック
２３ｂ  吸盤
２３ｄ  空気透過部材圧入部
２４  被吸着体
２５  フィルタ
２６  カード
２６ｃ  接触ばね押圧部
２６ｅ  空気取込口
２７  復帰ばね
３２ａ  空気透過部材
６１1〜６１4  鎖錠ばね
６３ａ  端子板
６４ａ  固定接点
６３ｃ  端子板
７０  接点ばね
７２  可動接点
９０  ハンドル
【図１】
0003835042.tif 000002
【図２】
0003835042.tif 000003
【図３】
0003835042.tif 000004
【図４】
0003835042.tif 000005
【図５】
0003835042.tif 000006
【図６】
0003835042.tif 000007
【図７】
0003835042.tif 000008
【図８】
0003835042.tif 000009
【図９】
0003835042.tif 000010
【図１０】
0003835042.tif 000011
【図１１】
0003835042.tif 000012
【図１２】
0003835042.tif 000013
【図１３】
0003835042.tif 000014
【図１４】
0003835042.tif 000015
【図１５】
0003835042.tif 000016
【図１６】
0003835042.tif 000017
【図１７】
0003835042.tif 000018
【図１８】
0003835042.tif 000019
【図１９】
0003835042.tif 000020
【図２０】
0003835042.tif 000021
【図２１】
0003835042.tif 000022
【図２２】
0003835042.tif 000023
【図２３】
0003835042.tif 000024
【図２４】
0003835042.tif 000025
【図２５】
0003835042.tif 000026
【図２６】
0003835042.tif 000027
【図２７】
0003835042.tif 000028
【図２８】
0003835042.tif 000029
【図２９】
0003835042.tif 000030
【図３０】
0003835042.tif 000031
【図３１】
0003835042.tif 000032